(57)【特許請求の範囲】
【請求項１】
レジスタに対して釣銭として使用する現金を計数処理して出金する出金処理機能及びレジスタから回収した現金を計数処理して入金する入金処理機能を有する現金処理機と、
レジスタ毎に対応付けられたカードからそのレジスタを特定する識別情報を読取る読取り手段と、
入金処理及び出金処理等の処理毎にその処理の種類及び処理金額を前記レジスタを特定する識別情報と関連付けて入出金処理履歴として記憶する記憶部を備えた現金処理装置であって、
入金処理に際し、前記入出金処理履歴に今回の入金処理に対応する出金処理があるか否かを判断し、対応する出金処理がない場合は、当該入金処理に対応する出金処理がないことを警告する画面を表示する表示部を有し、
前記入出金処理履歴のうちの出金処理と入金処理をレジスタ単位で集計して行う締上げ処理に際し、レジスタ毎の出金処理について対応する入金処理があるか否かを前記入出金処理履歴から検索して、出金処理時に使用されたカードから読み取ったレジ番号と同じレジ番号の入金処理が、その出金処理以後に行われていない場合、当該出金処理時を入金処理が行われていない出金処理と判定して今回の締上げ処理の対象外とすることを特徴とする現金処理装置。
【発明の詳細な説明】
【技術分野】
【０００１】
本発明は、小売店等に設置されるレジスタに補充される釣銭用の現金の出金処理や、レジスタから回収した現金の入金処理、及び締上げ処理を行う現金処理装置に関するものである。
【背景技術】
【０００２】
従来のこの種の現金処理装置として、小売店の店舗に設置されたレジスタに収納するための釣銭用の現金を釣銭用現金収納庫から出金する出金機能、レジスタから回収した売上金等の現金を入金し、釣銭分の現金は釣銭用現金収納庫に収納すると共に、売上分の現金は現金回収庫に収納する入金機能、入金及び出金の金額や金種毎の入出金枚数等を管理し、これらを締上げ時に集計して、その集計結果を表示部に表示すると共に、伝票に記録して放出する締上げ処理機能を有する装置が提案されており、この装置はレジスタから回収した現金のうち釣銭分の現金は釣銭用現金収納庫に収納すると共に、売上分の現金は現金回収庫に収納することで、回収した現金を出金に利用できるようにしたリサイクル機能を持たせて現金の効率的な運用を可能にしている（例えば、特許文献１参照）。
【特許文献１】特開２００５−０３８０６２
【発明の開示】
【発明が解決しようとする課題】
【０００３】
しかしながら、上述した従来の技術においては、以下の問題がある。
例えば、小売店等においては朝の開店前の時間帯は販売商品の品揃え等の作業があって忙しいため、締上げ処理の前に翌日の釣銭に使う現金を出金すると、その出金分が当日の出金として取扱われて締上げ処理されることになる。
そのため翌日の日付を入力する等のことを行って当日の出金と区別し、締上げ処理の対象外にする必要があるが、これによると日付の入力等通常の出金と異なる操作が必要となるので手間がかかり、入力し忘れると当日の出金として取扱われてしまうという問題がある。
また、締上げ処理をしてから出金しようとするとうっかり忘れることがあり、その場合は、朝の忙しい時間帯に釣銭に使う現金の出金を行わなければならないことになる。
本発明は、このような問題を解決することを課題とする。
【課題を解決するための手段】
【０００４】
そのため、本発明は、レジスタに対して釣銭として使用する現金を計数処理して出金する出金処理機能及びレジスタから回収した現金を計数処理して入金する入金処理機能を有する現金処理機と、レジスタ毎に対応付けられたカードからそのレジスタを特定する識別情報を読取る読取り手段と、入金処理及び出金処理等の処理毎にその処理の種類及び処理金額を前記レジスタを特定する識別情報と関連付けて入出金処理履歴として記憶する記憶部を備えた現金処理装置であって、入金処理に際し、前記入出金処理履歴に今回の入金処理に対応する出金処理があるか否かを判断し、対応する出金処理がない場合は、当該入金処理に対応する出金処理がないことを警告する画面を表示する表示部を有し、前記入出金処理履歴のうちの出金処理と入金処理をレジスタ単位で集計して行う締上げ処理に際し、レジスタ毎の出金処理について対応する入金処理があるか否かを前記入出金処理履歴から検索して、出金処理時に使用されたカードから読み取ったレジ番号と同じレジ番号の入金処理が、その出金処理以後に行われていない場合、当該出金処理時を入金処理が行われていない出金処理と判定して今回の締上げ処理の対象外とすることを特徴とする。
【発明の効果】
【０００５】
このようにした本発明は、レジ担当者等が当日分、翌日分の日付を意識せずに出金処理を行っても、当日分だけの出金処理と入金処理を集計して締上げ処理を実施することが可能になるという効果が得られる。
【発明を実施するための最良の形態】
【０００６】
以下、図面を参照して本発明による現金処理装置の実施例を説明する。
【実施例】
【０００７】
図１は実施例を示すブロック図である。
本実施例の現金処理装置は、レジスタを使用する小売店等に設置されるもので、図において１は硬貨（現金）の入出金処理を行う硬貨処理機（現金処理機）、２は紙幣（現金）の入出金処理を行う紙幣処理機（現金処理機）であり、この両処理機については後で詳しく説明する。
【０００８】
３はＬＣＤ等による表示部で、各種の処理操作の案内、現金処理のための入力画面や入力された情報、及び金種別の入出金金額や入出金の合計金額等を表示するものである。
４はレジスタの現金を入出金するレジ担当者や売上の締めを行う店長（装置管理者）等が操作するキーボードあるいは表示部３上に配置されたタッチパネル等の操作部で、入金処理や出金処理、締上げ処理、回収処理等の実行指示や出金金額等をキー入力することができるものとなっている。
【０００９】
５はカードリーダ（読取り手段）で、当該現金処理装置の利用者であるレジ担当者や店長等が使用する図示しないＩＤカードの情報を読取る機能を有している。
ＩＤカードは、レジスタに対応付けられており、レジ担当者用のＩＤカードには、レジ担当者の装置利用区分、カードを特定するカード番号（識別情報）、レジスタを特定するレジ番号（識別情報）等がカード情報として記録されている。
【００１０】
このレジ担当者用のＩＤカードは、レジスタ毎またはレジ担当者毎に用意され、レジ担当者毎に配布する場合、レジ担当者が複数のレジスタを操作するのであれば、使用するレジスタ毎に対応付けられたＩＤカードが与えられる。
６は伝票記録部（プリンタ）で、硬貨処理機１や紙幣処理機２で行われた入金処理や出金処理の金額、金種別枚数等を伝票に記録（印字）して出力するものである。
【００１１】
７は記憶部で、この記憶部７には後述する主制御部が実行する制御プログラムが格納されている他、硬貨及び紙幣の入出金処理が行われる毎にその処理結果が入出金処理履歴として記憶（登録）されるものとなっている。
８は記憶部７に格納された制御プログラムに基づいて現金処理装置全体の制御を行う主制御部で、硬貨処理機１及び紙幣処理機２で入出金処理が行われる毎にこの主制御部８により記憶部７の入出金処理履歴が更新されるものとなっており、更に主制御部８は必要に応じて各種の演算を行う演算部としても機能する。
【００１２】
次に硬貨処理機１及び紙幣処理機２について説明する。
硬貨処理機１は、レジスタから回収した硬貨を一括して受け入れる硬貨入金口１１と、この硬貨入金口１１に受け入れた硬貨を１枚ずつ分離する図示しない分離部と、分離された硬貨の金種等を鑑別すると共に鑑別した硬貨を金種毎に計数する硬貨鑑別部１２と、この硬貨鑑別部１２で鑑別計数された硬貨を一時保留する一時保留部１３と、レジスタ用の釣銭として使用する硬貨を金種別に収納する釣銭用硬貨収納庫１４と、入金硬貨のうちの売上金を金種別に収納する硬貨回収庫１５と、釣銭用の硬貨を出金するための硬貨出金箱（硬貨出金カセット）１６と、硬貨リジェクト口１７と、図示しない記憶部に格納された制御プログラムに基づいて硬貨処理機１全体の動作制御を行う制御部１８を有している。
【００１３】
ここで一時保留部１３、釣銭用硬貨収納庫１４、硬貨回収庫１５、及び硬貨出金箱１６は金種毎に分けて硬貨を集積、収納できるように内部が区切られている。
また、硬貨入金口１１と硬貨鑑別部１２との間には分離部により分離された硬貨を搬送する搬送ベルト等による搬送路が設けられ、釣銭用硬貨収納庫１４と硬貨回収庫１５及び硬貨出金箱１６との間には、釣銭用硬貨収納庫１４から繰出される硬貨を硬貨回収庫１５と硬貨出金箱１６のいずれかに導く振分け手段と、通過する硬貨を金種毎に計数する計数手段が設けられている。
【００１４】
また、前記各釣銭用硬貨収納庫１４に対しては、収納する硬貨の金種毎に保管基準額が設定されており、その保管基準額を保つために入金処理された硬貨を収納するようになっている。この釣銭用硬貨収納庫１４にも硬貨を搬送路に繰出す繰出し手段が設けられている。
一方、紙幣処理機２は、入金処理時にレジスタから回収した紙幣を一括して受け入れると共に出金処理時に釣銭としての紙幣を排出する紙幣入出金口２１と、この紙幣入出金口２１に受け入れた紙幣を１枚ずつ分離する図示しない分離部と、紙幣の金種等を鑑別すると共に鑑別した紙幣を金種毎に計数する紙幣鑑別部２２と、この紙幣鑑別部２２で鑑別計数された紙幣を集積して一時保留する一時保留部２３と、レジスタ用の釣銭準備金として使用する金種（例えば、五千円、千円）の紙幣を金種別に収納する複数の釣銭用紙幣収納庫２４と、入金紙幣のうちの売上金を金種別に収納する複数の紙幣回収庫２５と、紙幣リジェクト庫２６と、これらの間で紙幣を搬送ベルト等で挟持して搬送する搬送路と、図示しない記憶部に格納された制御プログラムに基づいて紙幣処理機２全体の動作制御を行う制御部２７を備えている。
【００１５】
紙幣一時保留部２３には紙幣を繰出す繰出し手段が設けられている。
前記各釣銭用紙幣収納庫２４に対しては、収納する紙幣の金種毎に保管基準額が設定されており、その保管基準額を保つために入金処理された紙幣を収納するようになっている。
この釣銭用紙幣収納庫２４にも紙幣の集積手段が紙幣を搬送路に繰出す繰出し手段と共に設けられている。
【００１６】
尚、硬貨処理機１の制御部１８及び紙幣処理機２の制御部２７は主制御部８の指示により硬貨処理機１及び紙幣処理機２を制御するものとなっている。
図２は前記記憶部７の記憶される入出金処理履歴の内容例を示す図である。
この入出金処理履歴は、図示したように通番（通し番号）、レジＮｏ（レジスタ番号）、カードＮｏ（カード番号）、担当者ＩＤ、処理日時、区分、処理金額、金種、締上げ日時により構成されており、通番のエリアには入金や出金の処理毎に付与される通し番号が書込まれ、カードＮｏのエリアには入出金を行うレジ担当者のＩＤカードから読取ったカード番号が書込まれる。このカードＮｏはカードを特定するための情報（識別子）である。
【００１７】
レジＮｏのエリアにはレジ担当者のＩＤカードから読取ったレジスタを特定する識別情報としてのレジ番号が書込まれる。このレジＮｏはレジスタ毎に集計する際に利用されるもので、同一レジスタに対する出金処理や入金処理等を関連付ける関連付け情報として用いられる。
また、担当者ＩＤのエリアにはレジ担当者や管理者が入力する担当者ＩＤ（ＩＤ番号）が書込まれ、処理日時のエリアには入金や出金等の処理を行った日時が書込まれる。
【００１８】
区分のエリアには処理の種類が入金や出金等の処理の種類を示す情報が書込まれ、金額のエリアには入金処理または出金処理した処理金額が書込まれる。
万、五千・・・一等の金種エリアには処理した金種毎の枚数がそれぞれ書込まれ、更に締上げ日時のエリアには締上げを行ったときの日時が書込まれる。この締上げ日時は、締上げ処理されたか否かを示す情報で、これが書込まれたものについては締め上げ処理対象から除外される。
【００１９】
尚、この入出金処理履歴には、実際には両替や補充等の処理の履歴も書込まれるが、ここでは図示を省略している。
上述した構成による実施例の作用について説明する。
尚、以下に説明において、主制御部８や制御部１８、２７による制御の説明については、必要な説明を除いて省略する。
【００２０】
まず、レジ担当者がレジスタに釣銭を補充する現金を出金させる場合の出金処理について説明する。
図３はその出金処理の手順を示すフローチャートで、図中のＳはステップを示し、以下このステップに従って説明する。
レジ担当者がＩＤカードを現金処理装置に設けられているカード挿入排出口に挿入すると、カードリーダ５がＩＤカードから利用者の区分、カードＮｏ（カード番号）、レジＮｏ（レジ番号）を読取る（Ｓ１）。
【００２１】
また、レジ担当者は操作部４を操作して自分自身の担当者ＩＤ、パスワードを入力する（Ｓ２）。
主制御部８はレジ担当者が入力した担当者ＩＤ、パスワードを予め記憶部７等に登録されている担当者ＩＤ、パスワードと照合し、正当性が確認された場合、ＩＤカードから読取った利用者区分に基づき、レジ担当者が操作可能な「出金」、「入金」を選択するメニュー画面を表示部３に表示し（Ｓ３）、レジ担当者に選択させる。
【００２２】
ここでレジ担当者が操作部４を操作して「出金」を選択すると、主制御部８は「出金」の選択を受付け（Ｓ４）、表示部３に出金金額入力画面を表示する。
この画面を見てレジ担当者が操作部４を操作して、出金金額（硬貨及び紙幣の金種毎の枚数）を入力すると、主制御部８はその入力金額を受付けて（Ｓ５）、その出金金額と硬貨処理機１の釣銭用硬貨収納庫１４及び紙幣処理機２の釣銭用紙幣収納庫２４内の現金を比較し、出金の可否を判断する（Ｓ６）。
【００２３】
釣銭用硬貨収納庫１４及び釣銭用紙幣収納庫２４内の現金の不足等により出金不可と判断した場合、その旨のメッセージ画面を表示部３に表示して終了する。
出金可能な場合は、硬貨処理機１の釣銭用硬貨収納庫１４及び紙幣処理機２の釣銭用紙幣収納庫２４から該当金種の硬貨及び紙幣が繰出され、硬貨鑑別部１２及び紙幣鑑別部２２で鑑別、計数された後、硬貨出金箱１６や紙幣入出金口２１に放出あるいは集積されてレジ担当に出金される（Ｓ７）。
【００２４】
出金が終了すると主制御部８は今回の出金処理結果として通番、レジＮｏ、カードＮｏ、担当者ＩＤ、処理日時、区分、出金金額（処理金額）、金種別枚数等を記憶部７の入出金処理履歴に書込み（Ｓ８）、更に伝票記録部６で処理結果を伝票に記録してレジ担当者に発行すると共にＩＤカードをカード挿入排出口から排出してレジ担当者に返却する（Ｓ９）。
【００２５】
尚、入出金処理履歴等の更新は伝票発行後に行うようにしてもよい。
次に、レジ担当者がレジスタから回収した現金を入金させる場合の入金処理について説明する。
図４はその入金処理の手順を示すフローチャートで、図中のＳはステップを示し、以下このステップに従って説明する。
【００２６】
レジ担当者がＩＤカードを現金処理装置に設けられているカード挿入排出口に挿入すると、カードリーダ５がＩＤカードから利用者の区分、カードＮｏ、レジＮｏ等のカード情報を読取る（Ｓ１１）。
続いて、レジ担当者は操作部４を操作して自分自身の担当者ＩＤ、パスワードを入力する（Ｓ１２）。
【００２７】
主制御部８はレジ担当者が入力した担当者ＩＤ、パスワードを予め記憶部７等に登録されている担当者ＩＤ、パスワードと照合し、正当性が確認された場合、ＩＤカードから読取った利用者区分に基づき、レジ担当者が操作可能な「出金」、「入金」を選択するメニュー画面を表示部３に表示し（Ｓ１３）、レジ担当者に選択させる。
ここでレジ担当者が操作部４を操作して「入金」を選択すると、主制御部８はその「入金」の選択を受付け（Ｓ１４）、記憶部７に記憶されている図２に示す入出金処理履歴を検索して、前記カード情報のカードＮｏに該当する区分の従前の処理に今回の入金処理に対応する出金処理があるか否かを判断し（Ｓ１５）、出金処理がある場合はＳ１８に進んで入金処理を実施するが、出金処理がない場合、主制御部８は確認画面を表示部３に表示する（Ｓ１６）。
【００２８】
図５はこの場合の確認画面の例を示す図で、この確認画面には「このカードは出金をしていません。入金処理を続けますか」等のこのカードにより行われた従前の処理に今回の入金処理に対応する出金がないことを警告する旨、及び入金処理を続けるか否かを問うメッセージと共に、入金を続ける場合は確認ボタンを、処理を終了する場合は取消ボタンを押下するように促すメッセージ、今回使用したカードのカードＮｏ、そのカードＮｏに対応するレジＮｏ、及び入金続行を選択する「確認」ボタン３０、処理終了を選択する「取消」ボタン３１を表示する。
【００２９】
この画面を見てレジ担当者は「確認」ボタン３０と「取消」ボタン３１のいずれかを押下することになり、それにより主制御部８は処理継続かどうかを判断するが（Ｓ１７）、例えば、今回図２に示すレジＮｏ０００１のレジスタから回収した現金を入金するつもりで、間違ってレジＮｏ０００２に対応するカードＮｏ００２２のカードを挿入してしまった場合、レジ担当者は前記の確認画面に表示された警告メッセージによりカードを間違えたことを認識することができ、この段階で「取消」ボタン３１を押下して処理終了を選択することができる。
【００３０】
「取消」ボタン３１を押下して処理終了を選択すると、主制御部８はＩＤカードをカード挿入排出口から排出させてレジ担当者に返却するので、その後、レジ担当者は正しいカードを挿入して入金処理をやり直すことができる。
一方、確認画面を見てレジ担当者が「確認」ボタン３０を押下して入金処理継続を選択した場合、または前記Ｓ１５で出金処理があると判断した場合、主制御部８は硬貨処理機１及び紙幣処理機２に入金処理を実施させる（Ｓ１８）。
【００３１】
すなわち、硬貨処理機１及び紙幣処理機２は主制御部８の指示により、硬貨入金口１１及び紙幣入出金口２１に設けられているシャッタをそれぞれ開放して、レジ担当者がレジスタから回収してきた現金である硬貨及び紙幣を受入れ、そして受入れた硬貨及び紙幣を硬貨鑑別部１２及び紙幣鑑別部２２に搬送してそれぞれ鑑別、計数した後、硬貨一時保留部１３及び紙幣一時保留部２３に一時保留する。
【００３２】
受入れたすべての硬貨及び紙幣を計数して一時保留すると、主制御部８は金種毎の枚数及び金額、全金種の合計額を計数結果として表示部３に表示し、レジ担当者に金額を確認させて収納の可否（ＯＫ／ＮＧ）を入力させる。
収納不可（ＮＧ）の場合、一時保留した硬貨は硬貨リジェクト口１７から、紙幣は紙幣入出金口２１からレジ担当者に返却して処理を終了するが、収納可能（ＯＫ）の場合、硬貨一時保留部１３及び紙幣一時保留部２３に一時保留した硬貨及び紙幣を収納する。
【００３３】
例えば、今回の入金処理が図２に示す通番３４、カードＮｏ０００１のＩＤカードによる「３００，０００万円」の入金処理であって、Ｓ５で主制御部８が図２に示す入出金処理履歴を検索した結果、従前の処理に今回の入金処理に対応する通番３１の出金があると判断した場合、硬貨一時保留部１３及び紙幣一時保留部２３に一時保留した硬貨及び紙幣のうち、前回の処理で出金された「１００，０００万円」を釣銭分として釣銭用硬貨収納庫１４及び釣銭用紙幣収納庫２４に収納し、残りを売上として硬貨回収庫１５及び紙幣回収庫２５に収納する。
【００３４】
硬貨及び紙幣の収納が終了すると、主制御部８は今回の処理結果として通番、レジＮｏ、カードＮｏ、担当者ＩＤ、処理日時、区分、入金金額、金種別枚数等を記憶部７の入出金処理履歴に書込んで更新し（Ｓ１９）、更に伝票記録部６で入金処理結果を伝票に記録してレジ担当者に発行すると共にＩＤカードをカード挿入排出口から排出してレジ担当者に返却する（Ｓ２０）。
【００３５】
尚、この場合も入出金処理履歴等の更新は伝票発行後に行うようにしてもよい。
次に、管理者による締上げ処理について説明する。
図６は締上げ処理の手順を示すフローチャートで、図中のＳはステップを示し、以下このステップに従って説明する。
管理者が自分のＩＤカードを現金処理装置に設けられているカード挿入排出口に挿入すると、カードリーダ５がＩＤカードから利用者の区分を読取る（Ｓ２１）。
【００３６】
また、管理者はカード挿入後、操作部４を操作して自分に付与されている担当者ＩＤ、パスワードを入力する。
主制御部８は管理者が入力した担当者ＩＤ、パスワードを予め記憶部７等に登録されている担当者ＩＤ、パスワードを照合し、正当性を確認する（Ｓ２２）。
正当性が確認された場合、ＩＤカードから読取った利用者区分に基づき、管理者が操作可能な「締上げ」、「回収」、「交換」を選択するメニュー画面を表示部３に表示し（Ｓ２３）、管理者に選択させる。
【００３７】
ここで管理者が操作部４を操作して「締上げ」を選択すると、主制御部８は「締上げ」の選択（締上げ要求）を受付ける（Ｓ２４）。
そして、主制御部８は、記憶部７に記憶された入出金処理履歴から前回の締上げ以後の入金処理の金額、及び締上げ日時が未記入の出金処理の金額を検索抽出してそれぞれ集計するが、その際各レジスタの出金について、入金がある出金を当日（今回）の締上げ処理対象とし、入金のない出金は翌日（次回）の締上げ分として処理対象外とする。
【００３８】
例えば、図２に示した入出金処理履歴において、通番３１以降が今回の締上げ処理であるとすると、通番４０、４１の出金処理は、当該出金処理以後に対応する入金処理が存在しないので、今回の締上げ処理の対象外とするが、この場合、出金処理に対応する入金処理があるか否かを入出金処理履歴を検索して判定する方法は出金処理と入金処理の集計方法により異なる。
【００３９】
出金処理と入金処理の集計方法として、レジスタ単位、カード単位、レジスタ及び担当者ＩＤ単位で行う方法があり、レジスタ単位の集計方法では、対応する入金処理がある出金処理か否かの判定方法として、出金処理時に使用されたカードから読取ったレジＮｏと同じレジＮｏの入金処理がその出金処理以後に行われている場合は対応する入金処理がある出金処理と判定し、出金処理時に使用されたカードから読取ったレジＮｏと同じレジＮｏの入金処理がその出金処理以後に行われていない場合は対応する入金処理がない出金処理と判定する。
【００４０】
また、カード単位の集計方法では、対応する入金処理がある出金か否か判定方法として、出金処理時に使用されたカードから読取ったカードＮｏと同じカードＮｏの入金処理がその出金処理以後に行われている場合は対応する入金処理がある出金処理と判定し、出金処理時に使用されたカードから読取ったカードＮｏと同じカードＮｏの入金処理がその出金処理以後に行われていない場合は対応する入金処理がある出金処理と判定する。
【００４１】
更にレジスタ及び担当者ＩＤ単位の集計方法では、対応する入金処理がある出金処理か否か判定方法として、出金処理時に使用されたカードから読取ったレジＮｏ及び入力された担当者ＩＤと同じレジＮｏ及び入力された担当者ＩＤの入金がその出金以後に存在する場合は対応する入金処理がある出金処理と判定し、出金処理時に使用されたカードから読取ったレジＮｏ及び入力された担当者ＩＤと同じレジＮｏ及び入力された担当者ＩＤの入金がその出金以後に存在しない場合は対応する入金処理がある出金処理と判定する。
【００４２】
このようにして、入金処理の金額、及び締上げ処理対象の出金処理の金額を抽出してそれぞれ集計し、すべてのレジスタの出金合計額、入金合計額、売上金合計額、及びレジスタ毎の出金合計額、入金合計額、売上金合計額を演算して、その演算結果を締上げ処理結果として記憶部７の締上げ情報登録部に書込むと共に表示部３に表示する（Ｓ２５）。
続いて主制御部８は記憶部７の今回締上げ処理の対象とした入金処理と出金処理の締上げ日時を入出金処理履歴に書込んで更新し（Ｓ２６）、更に伝票記録部６で締め上げの処理結果を伝票に記録して管理者に発行する（Ｓ２７）。
【００４３】
以上説明した実施例によれば、入出金処理履歴のうちの出金処理と入金処理の集計等を行う締上げ処理に際し、レジ毎の出金処理について対応する入金処理があるか否かを前記入出金処理履歴から検索して、対応する入金処理がない出金処理を今回の締上げ処理の対象外とするようにしているため、レジ担当者等が当日分、翌日分の日付を意識せずに出金処理を行っても、当日分だけの出金処理と入金処理を集計して締上げ処理を実施することが可能になるという効果が得られる。
【図面の簡単な説明】
【００４４】
【図１】図１は実施例を示すブロック図
【図２】入出金処理履歴の内容例を示す図
【図３】出金処理の手順を示すフローチャート
【図４】入金処理の手順を示すフローチャート
【図５】入金処理時の確認画面の例を示す図
【図６】締上げ処理の手順を示すフローチャート
【符号の説明】
【００４５】
１    硬貨処理機
２    紙幣処理機
３    表示部
４    操作部
５    カードリーダ
６    伝票記録部
７    記憶部
８    主制御部
１１  硬貨入金口
１２  硬貨鑑別部
１３  硬貨一時保留部
１４  釣銭用硬貨収納庫
１５  硬貨回収庫
１６  硬貨出金庫  １７  硬貨リジェクト口
１８  制御部
２１  紙幣入出金口
２２  紙幣鑑別部
２３  紙幣一時保留部
２４  釣銭用紙幣収納庫
２５  紙幣回収庫
２６  紙幣リジェクト庫
２７  制御部
【図１】
0005200502.tif 000002
【図２】
0005200502.tif 000003
【図３】
0005200502.tif 000004
【図４】
0005200502.tif 000005
【図５】
0005200502.tif 000006
【図６】
0005200502.tif 000007